(57)【要約】【課題】複数の発光パネルを配置した照明装置において、発光部からの出射光を有効に利用して隣接する発光パネル間の非発光部と対向する部分が暗くなるのを抑制する。【解決手段】照明装置12は、出射光が等方性の発光部14と、その周囲に設けられた非発光部15とを有する発光パネル13を非発光部15同士が隣接するように複数配置して設けられている。発光パネル13は、透明な平板状の暗部解消部材21に接着剤22を介して透明基板16側において接着され、暗部解消部材21が発光パネル13の光出射側に複数の発光パネル13に対応する位置に配置されている。暗部解消部材21は、発光パネル13側の面の隣接する発光パネル13の非発光部15及びその間の部分と対応する位置に、暗部解消部材21の発光部14に対応する位置から出射する光量と、非発光部15に対応する位置から出射する光量とが同等となるようにＶ字状溝23が設けられている。【選択図】      図１
2005353560.tif 000002
【特許請求の範囲】
【請求項１】
出射光が等方性の発光部と、その周囲に設けられた非発光部とを有する発光パネルを前記非発光部同士が隣接するように複数配置して設けられた照明装置であって、
透明な材質で平板状に形成された暗部解消部材が前記発光パネルの光出射側に前記複数の発光パネルに対応する位置に配置され、前記暗部解消部材は、前記発光パネル側の面の前記隣接する発光パネルの非発光部及びその間の部分と対応する位置に、前記暗部解消部材の前記発光部に対応する位置から出射する光量と、前記暗部解消部材の前記非発光部に対応する位置から出射する光量とが同等となるようにＶ字状溝が設けられていることを特徴とする照明装置。
【請求項２】
出射光が等方性の発光部と、非発光部とを有する発光パネルを該発光パネル同士が隣接するように複数配置して設けられた照明装置であって、
前記非発光部は、補助電極が設けられている部分であり、
透明な材質で平板状に形成された暗部解消部材が前記発光パネルの光出射側に前記複数の発光パネルに対応する位置に配置され、前記暗部解消部材は、前記発光パネル側の面の前記隣接する発光パネルの前記補助電極による前記非発光部と対応する位置に、前記暗部解消部材の前記発光部に対応する位置から出射する光量と、前記暗部解消部材の前記非発光部に対応する位置から出射する光量とが同等となるようにＶ字状溝が設けられていることを特徴とする照明装置。
【請求項３】
前記Ｖ字状溝は、その開放端の幅が、前記隣接して配置された発光パネルの前記発光部間の幅より広く形成されている請求項１又は請求項２に記載の照明装置。
【請求項４】
前記Ｖ字状溝は、Ｖ字状溝の深さＡ１、Ｖ字状溝の開放端の幅Ａ２、Ｖ字状溝の頂角α、空気の屈折率Ｎ１、暗部解消部材の屈折率Ｎ２、視野角θが、次の２式を満たすように形成されている請求項１〜請求項３のいずれか一項に記載の照明装置。
Ａ１＝Ａ２／｛２tan （α／２）｝…（１）
θ＝arcsin〔（Ｎ２／Ｎ１）sin ｛９０−α／２−arcsin（Ｎ１／Ｎ２）｝〕…（２）
【請求項５】
前記Ｖ字状溝は、その傾斜面が光学研磨面又は鏡面に形成されている請求項１〜請求項４のいずれか一項に記載の照明装置。
【請求項６】
前記発光部は白色発光を行い、前記暗部解消部材には前記発光パネルと対向する面の前記Ｖ字状溝の部分を除く箇所に拡散部が設けられ、前記暗部解消部材は拡散部と前記各発光パネルとの間に隙間が存在する状態に配置されている請求項１〜請求項５のいずれか一項に記載の照明装置。
【請求項７】
前記拡散部は、拡散シートをその拡散面側が前記発光パネル側となるように前記暗部解消部材に光学的に一体化されている請求項６に記載の照明装置。
【請求項８】
前記暗部解消部材は、前記Ｖ字状溝が設けられた部分の前記発光パネルに対向する面と反対側の面に、前記Ｖ字状溝と向かい合うように第２のＶ字状溝が設けられている請求項１〜請求項７のいずれか一項に記載の照明装置。
【請求項９】
前記第２のＶ字状溝は、前記発光パネルに垂直で前記Ｖ字状溝と平行に延びるとともに前記Ｖ字状溝の最深部を通る仮想平面上に、その最深部が存在しない状態に設けられている請求項８に記載の照明装置。
【請求項１０】
前記発光部はエレクトロルミネッセンス素子で構成されている請求項１〜請求項９のいずれか一項に記載の照明装置。
【請求項１１】
前記照明装置は液晶表示装置のバックライト用の照明装置である請求項１〜請求項１０のいずれか一項に記載の照明装置。
【請求項１２】
発光パネルと暗部解消部材とを有する照明装置であって、
前記発光パネルは、基板と該基板上に形成された面発光素子とを備えるとともに、出射光が等方性の発光部と非発光部とを有し、
前記暗部解消部材は、光が入射する光入射部と光が出射する光出射部とを有し、該光入射部は、前記光出射部に対して傾斜する一又は複数の傾斜面を有しており、
前記発光パネルの前記非発光部と対応する位置に、前記暗部解消部材の前記発光部に対応する位置から出射する光量と、前記暗部解消部材の前記非発光部に対応する位置から出射する光量とが同等となるように、前記傾斜面が設けられていることを特徴とする照明装置。
【請求項１３】
前記傾斜面は、前記発光パネルへの投影像の幅が、前記非発光部の幅より広く形成されている請求項１２に記載の照明装置。
【請求項１４】
前記傾斜面は、傾斜面先端から発光パネルまでの距離ａ１、傾斜面の発光パネルへの投影像の幅Ａ、傾斜面が発光パネルと垂直な面との成す角度ａ、空気の屈折率Ｎ１、暗部解消部材の屈折率Ｎ２、視野角θが、次の２式を満たすように形成されている請求項１２又は請求項１３に記載の照明装置。
ａ１＝Ａ／tan ａ…（２１）
θ＝arcsin〔（Ｎ２／Ｎ１）sin ｛９０−ａ−arcsin（Ｎ１／Ｎ２）｝〕…（２２）
【請求項１５】
前記傾斜面は、光学研磨面又は鏡面に形成されている請求項１２〜請求項１４のいずれか一項に記載の照明装置。
【請求項１６】
前記光出射部は、前記光入射部に対して傾斜する一又は複数の第２の傾斜面を有し、該第２の傾斜面は、前記傾斜面に対応する位置に形成されている請求項１２〜請求項１５のいずれか一項に記載の照明装置。
【請求項１７】
前記発光部は白色発光を行い、前記暗部解消部材には前記発光パネルと対向する面の前記傾斜面の部分を除く箇所に拡散部が設けられ、前記暗部解消部材は拡散部と前記各発光パネルとの間に隙間が存在する状態に配置されている請求項１２〜請求項１６のいずれか一項に記載の照明装置。
【請求項１８】
前記拡散部は、拡散シートをその拡散面側が前記発光パネル側となるように前記暗部解消部材に光学的に一体化されている請求項１７に記載の照明装置。
【請求項１９】
前記暗部解消部材は、傾斜の方向が異なる２つの傾斜面から構成されるＶ字状溝を有し、該Ｖ字状溝が前記非発光部に対応するように配置されている請求項１２〜請求項１８のいずれか一項に記載の照明装置。
【請求項２０】
前記発光パネルの端部に位置する非発光部には前記傾斜面が対応し、それ以外の非発光部には前記Ｖ字状溝が対応している請求項１９に記載の照明装置。
【請求項２１】
前記非発光部は、補助電極が設けられている部分である請求項１２〜請求項２０のいずれか一項に記載の照明装置。
【請求項２２】
前記非発光部は、前記発光部の周囲である前記発光パネルの端部に形成されている部分である請求項１２〜請求項２０のいずれか一項に記載の照明装置。
【請求項２３】
前記面発光素子は有機エレクトロルミネッセンス素子で構成されている請求項１２〜請求項２２のいずれか一項に記載の照明装置。
【請求項２４】
前記照明装置は液晶表示装置のバックライト用の照明装置である請求項１２〜請求項２３のいずれか一項に記載の照明装置。
【発明の詳細な説明】
【技術分野】
【０００１】
本発明は、照明装置に係り、詳しくはＥＬ素子（エレクトロルミネッセンス素子）のように出射光が等方性を有する発光部と、その周囲に設けられた非発光部とを有する発光パネルを前記非発光部同士が隣接するように複数配置して設けられた照明装置に関する。
【０００２】
また、本発明は、照明装置に係り、詳しくはエレクトロルミネッセンス（ＥＬ）素子のように出射光が等方性を有する発光部と、非発光部とを有する発光パネルを備えた照明装置に関する。
【背景技術】
【０００３】
従来、透明基板上にＥＬ素子（エレクトロルミネッセンス素子）を備えた照明装置が提案されており、この照明装置を、例えば液晶表示装置のバックライトとして用いた技術も提案されている。ＥＬ素子として大面積のものが要求されているが、ＥＬ素子は非常に薄く、ＥＬ層の厚さは数十〜数百ｎｍ程度であるため、ＥＬ層を広い面積に均一に成膜するのは難しく、歩留まりが悪くなる。
【０００４】
また、従来、複数の表示パネルを接合して１つの表示装置を構成する場合に、発光部を劣化させることなく、かつ隣接する表示パネルの接合部を目立たなくすることができるＥＬ表示装置が提案されている（例えば、特許文献１参照。）。このＥＬ表示装置は、図１６に示すように、発光層６０ａ，６０ｂが保護層６１ａ，６１ｂで分離された小型パネル６２ａ，６２ｂの端部の上面及び下面を斜めに加工し、小型パネル６２ａの保護層６１ａの端面と、小型パネル６２ｂの保護層６１ｂの端面と上下のスペースに接着剤６３を充填することにより小型パネル６２ａ，６２ｂが接合されている。小型パネル６２ａ，６２ｂは、接合部の画素ピッチが、他の部分の画素ピッチと同じになるように接合されている。また、小型パネル６２ａ，６２ｂは保護基板６４に接着剤６３により貼り付けられている。接着剤６３には、光学的な違和感を少なくするため、可視光の波長領域でガラスの屈折率に近い光学特性を有する紫外線硬化型接着剤、高分子系接着剤等が使用されている。
【０００５】
また、有機ＥＬ素子において、発光層中の蛍光体から放射される光が、光取り出し側に配置された透明基板と空気との界面で全反射されて空気中へ放射されず、有効利用されないことを改善する有機ＥＬ素子が提案されている（例えば、特許文献２参照。）。この有機ＥＬ素子は、図１７に示すように、基板６５上に陽極６６、正孔輸送層６７、発光層６８及び透明な陰極６９が積層されている。そして、陰極６９上に図示しない保護膜が形成されるとともに光学用接着剤を介して光の角度変換パネル７０が貼付されている。角度変換パネル７０には基板６５と対向する面にＶ字溝７１が形成されている。この構成では、発光層６８から放射された光の中でも全反射により素子内に閉じこめられる様な角度で発光面（出射面）７０ａに対して傾いた光は、Ｖ字溝７１のパネルと空気との界面での全反射により角度を変えられ、空気中に取り出されることになり、光の取り出し効率が向上する。
【０００６】
また、光の利用効率を上げて明るい画像を得ることができる有機ＥＬパネルも提案されている（例えば、特許文献３参照。）。この有機ＥＬパネルは、第１透明基板上に画素となる有機ＥＬ素子をマトリックス状に成膜し、この有機ＥＬ素子の有機発光膜上に第２透明基板を配置し、これらを接着層により固着した構造である。第２透明基板の第１透明基板との対向面には、画素部分を除いて格子状にＶ溝が形成されており、Ｖ溝の斜面には反射膜が形成されている。有機ＥＬ素子から第２透明基板に入射し、第２透明基板の側方に進む光は反射膜で反射して第２透明基板から出射される。
【特許文献１】特開２００２−２９７０６５号公報（明細書の段落［００１０］〜［００１２］，［００３３］〜［００３８］、図１〜図３）
【特許文献２】特開２００３−３４７０５２号公報（明細書の段落［００１０］〜［００１２］，［００３３］〜［００３８］、図１，図５，図６）
【特許文献３】特開２００３−２８２２５５号公報（明細書の段落［００３６］、図１，図２）
【発明の開示】
【発明が解決しようとする課題】
【０００７】
特許文献１に記載のＥＬ表示装置では、小型パネル６２ａ，６２ｂの接合部は非画素部即ち非発光部となるため、接着剤６３の部分からは発光層６０ａ，６０ｂと対応する部分と同程度の光量で出射される必要はない。そのため、小型パネル６２ａ，６２ｂの接合方法として光学的には問題はない。しかし、この方法を、液晶表示装置のバックライトとして使用する照明装置用のパネルに適用した場合は次のような問題がある。例えば、発光層６０ａ，６０ｂから出射して小型パネル６２ａ，６２ｂの端面に向かった光が、斜めにカットされた各小型パネル６２ａ，６２ｂの端面と、接着剤６３との界面で反射、吸収あるいは散乱される。また、接着剤６３中を通過する光が接着剤６３により吸収、散乱される。その結果、接着剤６３の部分から出射する光量が他の部分より少なくなってパネル間が暗くなる。また、小型パネル６２ａ，６２ｂの端部を斜めに加工する際に割れが発生した場合、素子自体にも影響し当該小型パネルは使用できなくなるため歩留まりが悪くなるという問題もある。
【０００８】
特許文献２及び特許文献３は、有機ＥＬ素子の大画面化に関しては何ら記載されておらず、それを示唆する記載もない。また、両特許文献は、発光層からの光のうち、従来は全反射により取り出すことができなかった光を、効率よく取り出すことを目的としており、有機ＥＬ素子の非発光部と対応する部分から発光部と同等な光量を出射させて発光領域の大きな照明装置を得ることに関しても何ら記載されておらず、それを示唆する記載もない。
【０００９】
本発明は、前記従来の問題に鑑みてなされたものであって、第１の目的は、出射光が等方性の複数の発光パネルを組み付けて構成された照明装置において、各発光パネルを切削加工する必要がなく、発光部からの出射光を有効に利用して隣接する発光パネル間の非発光部と対向する部分が暗くなるのを抑制することができる照明装置を提供することにある。
【００１０】
また、本発明は、前記従来の問題に鑑みてなされたものであって、第２の目的は、出射光が等方性の発光部と、非発光部とを備えた発光パネルを有する照明装置において、発光部より大きな面積の光出射部から、発光部及び非発光部に対応する位置に拘わらず、ほぼ同等の光量を出射することができる照明装置を提供することにある。
【課題を解決するための手段】
【００１１】
前記の第１の目的を達成するため、請求項１に記載の発明は、出射光が等方性の発光部と、その周囲に設けられた非発光部とを有する発光パネルを前記非発光部同士が隣接するように複数配置して設けられた照明装置である。そして、透明な材質で平板状に形成された暗部解消部材が前記発光パネルの光出射側に前記複数の発光パネルに対応する位置に配置されている。前記暗部解消部材は、前記発光パネル側の面の前記隣接する発光パネルの非発光部及びその間の部分と対応する位置に、前記暗部解消部材の前記発光部に対応する位置から出射する光量と、前記暗部解消部材の前記非発光部に対応する位置から出射する光量とが同等となるようにＶ字状溝が設けられている。
【００１２】
ここで「出射光が等方性」とは、発光部から発せられる光があらゆる方向に向かって強度が等しく放射されることを意味する。また、「透明」とは、発光部から出射する波長の光に対して透過性を有することを意味し、一般には可視光に対して透過率約７０％以上を有することを意味する。また、「発光部に対応する位置から出射する光量と、非発光部に対応する位置から出射する光量とが同等」とは、前記発光部に対応する位置の輝度と非発光部に対応する位置の輝度の比が、照明装置を液晶装置のバックライトとして使用する場合は０．８以上、一般の照明装置に使用する場合は０．５以上であることを意味する。
【００１３】
この発明では、複数の前記発光パネルが並んだ状態で配置されているために１つの発光パネルに比べて大きい面積を照射することができる。また、各発光パネルから出射された光は、暗部解消部材を介して外部へ出射される。暗部解消部材には隣接する発光パネルの非発光部及びその間と対応する位置にＶ字状溝が設けられているため、各発光部から出射して暗部解消部材に入射した光の一部は、Ｖ字状溝で反射されて暗部解消部材の光出射側から出射される。その結果、各発光パネルを切削加工する必要がなく、発光部からの出射光を有効に利用して照明装置の各発光パネル間の非発光部と対応する部分が暗くなるのを抑制することができる。
【００１４】
請求項２に記載の発明は、出射光が等方性の発光部と、非発光部とを有する発光パネルを前記発光パネル同士が隣接するように複数配置して設けられた照明装置である。前記非発光部は、補助電極が設けられている部分であり、透明な材質で平板状に形成された暗部解消部材が前記発光パネルの光出射側に前記複数の発光パネルに対応する位置に配置されている。前記暗部解消部材は、前記発光パネル側の面の前記隣接する発光パネルの前記補助電極による前記非発光部と対応する位置に、前記暗部解消部材の前記発光部に対応する位置から出射する光量と、前記暗部解消部材の前記非発光部に対応する位置から出射する光量とが同等となるようにＶ字状溝が設けられている。この発明では、補助電極による非発光部に対応する部分に暗部解消部材のＶ字状溝が配置されているため照明装置の補助電極による非発光部と対応する部分が暗くなるのを抑制することができる。
【００１５】
請求項３に記載の発明は、請求項１又は請求項２に記載の発明において、前記Ｖ字状溝は、その開放端の幅が、前記隣接して配置された発光パネルの前記発光部間の幅より広く形成されている。Ｖ字状溝の開放端の幅が発光パネルの発光部間の幅より狭いと、照明装置の光出射側から暗部解消部材を眺めたとき、非発光部が見える状態となる。Ｖ字状溝の開放端の幅を厳密に発光パネルの発光部間の幅と同じに形成すれば非発光部は見えないが、加工が難しい。しかし、この発明では、Ｖ字状溝の開放端の幅が、発光パネルの発光部間の幅より広く形成されているため、非発光部が見えず、即ち暗部の一部が線状に見えるのを防止することができる。
【００１６】
請求項４に記載の発明は、請求項１〜請求項３のいずれか一項に記載の発明において、前記Ｖ字状溝は、Ｖ字状溝の深さＡ１、Ｖ字状溝の開放端の幅Ａ２、Ｖ字状溝の頂角α、空気の屈折率Ｎ１、暗部解消部材の屈折率Ｎ２、視野角θが、次の２式を満たすように形成されている。
【００１７】
Ａ１＝Ａ２／｛２tan （α／２）｝…（１）
θ＝arcsin〔（Ｎ２／Ｎ１）sin ｛９０−α／２−arcsin（Ｎ１／Ｎ２）｝〕…（２）
ここで「視野角」とは、照明装置を暗部解消部材から眺めた際に、隣接する発光パネルの非発光部が見えない方向のうち最も発光パネルに近い方向と、発光パネルに垂直で暗部解消部材のＶ溝以外の平面の法線との成す角度を意味する。
【００１８】
この発明では、Ｖ字状溝が前記（１），（２）式を満たすように形成されているため、暗部解消部材の厚さを薄くすることを優先させるのか、視野角を大きくすることを優先させるのかに対応して、適切なＶ字状溝の頂角α及びＶ字状溝の深さＡ１を容易に設定することができる。
【００１９】
請求項５に記載の発明は、請求項１〜請求項４のいずれか一項に記載の発明において、前記Ｖ字状溝は、その傾斜面が光学研磨面又は鏡面に形成されている。従って、この発明では、Ｖ字状溝の傾斜面が光学研磨面又は鏡面に形成されていない場合に比較して、Ｖ字状溝で散乱・吸収になどによる光の減衰が少なく反射して暗部解消部材の光出射側から出射する光量が増え、発光部から出射される光を有効に利用することができる。
【００２０】
請求項６に記載の発明は、請求項１〜請求項５のいずれか一項に記載の発明において、前記発光部は白色発光を行い、前記暗部解消部材には前記発光パネルと対向する面の前記Ｖ字状溝の部分を除く箇所に拡散部が設けられ、前記暗部解消部材は拡散部と前記各発光パネルとの間に隙間が存在する状態に配置されている。
【００２１】
例えば、カラー表示の液晶表示装置のバックライト用として白色発光の発光部を使用した場合、発光部から出射される光のうち暗部解消部材に向かって真っ直ぐ進む光と、斜めに進む光とで色（波長）が異なる。その結果、Ｖ字状溝で反射されて暗部解消部材から出射される光、即ち非発光部と対応する位置から出射される光の色が、発光部と対応する位置から出射される光と異なる色となる。この発明では、暗部解消部材には発光パネルと対向する面のＶ字状溝以外の箇所に拡散部が設けられ、拡散部と各発光パネルとの間に隙間が存在する状態に配置されている。各発光パネルの正面、即ち暗部解消部材の厚さ方向に出射される光は色が揃った光であり、その光が拡散部で拡散されて暗部解消部材に入射されるため、Ｖ字状溝で反射される光、即ち非発光部と対応する位置から出射される光と、発光部と対応する位置から出射される光とが同じ色になる。
【００２２】
請求項７に記載の発明は、請求項６に記載の発明において、前記拡散部は、拡散シートをその拡散面側が前記発光パネル側となるように前記暗部解消部材に光学的に一体化されている。ここで、「光学的に一体化」とは、拡散シートの拡散面が形成されている面とは反対側の面が暗部解消部材のＶ字状溝が形成されている側の面に接着剤や粘着材などを介して貼付されており、拡散シートと暗部解消部材との間に可及的に空気が存在しない状態を意味する。また、接着剤や粘着材に使用される材料の屈折率が暗部解消部材の屈折率と同じ又は屈折率の差が数％以内であることを意味する。この発明では、拡散部を暗部解消部材の発光パネル側の面に直接形成する場合に比較して拡散部の形成が容易になる。
【００２３】
請求項８に記載の発明は、請求項１〜請求項７のいずれか一項に記載の発明において、前記暗部解消部材は、前記Ｖ字状溝が設けられた部分の前記発光パネルに対向する面と反対側の面に、前記Ｖ字状溝と向かい合うように第２のＶ字状溝が設けられている。この発明では、第２のＶ字状溝が設けられていない構成に比較して、同じ視野角の暗部解消部材においてその厚さを薄くできる。
【００２４】
請求項９に記載の発明は、請求項８に記載の発明において、前記第２のＶ字状溝は、前記発光パネルに垂直で前記Ｖ字状溝と平行に延びるとともに前記Ｖ字状溝の最深部を通る仮想平面上に、その最深部が存在しない状態に設けられている。前記Ｖ字状溝及び第２のＶ字状溝の頂角の曲率半径が０．０５mm以下に形成されていないと、各頂角の最深部が前記発光パネルに垂直でＶ字状溝と平行な仮想平面上に存在するようにＶ字状溝及び第２のＶ字状溝が形成されると、照明装置の光出射側から暗部解消部材を眺めたとき、両最深部の一致する箇所から非発光部と対応する部分の一部が暗い線状に見える状態となる。しかし、この発明では、前記Ｖ字状溝及び第２のＶ字状溝の最深部は、照明装置の光出射側、即ち暗部解消部材を眺めたとき一致していないため、非発光部と対応する部分の一部が暗い線状に見える状態を抑制することができる。
【００２５】
請求項１０に記載の発明は、請求項１〜請求項９のいずれか一項に記載の発明において、前記発光部はエレクトロルミネッセンス素子で構成されている。従って、この発明では、出射光が等方性の発光部を容易に形成あるいは入手できる。
【００２６】
請求項１１に記載の発明は、請求項１〜請求項１０のいずれか一項に記載の発明において、前記照明装置は液晶表示装置のバックライト用の照明装置である。従って、この発明の照明装置をバックライトに使用することにより、大きな画面の液晶表示装置において輝度むらの抑制された画面が得られる。
【００２７】
前記第２の目的を達成するために、請求項１２に記載の発明は、発光パネルと暗部解消部材とを有する照明装置であって、前記発光パネルは、基板と該基板上に形成された面発光素子とを備えるとともに、出射光が等方性の発光部と非発光部とを有している。そして、前記暗部解消部材は、光が入射する光入射部と光が出射する光出射部とを有し、該光入射部は、前記光出射部に対して傾斜する一又は複数の傾斜面を有している。前記発光パネル側の前記非発光部と対応する位置に、前記暗部解消部材の前記発光部に対応する位置から出射する光量と、前記暗部解消部材の前記非発光部に対応する位置から出射する光量とが同等となるように、前記傾斜面が設けられている。
【００２８】
発光パネルは発光部と、非発光部とを備えている。暗部解消部材は、発光パネル側の面の非発光部と対応する位置に設けられた傾斜面で光が全反射することにより、発光部に対応する位置から出射する光量と、非発光部に対応する位置から出射する光量とが同等となるように光を出射する。従って、照明装置は、発光部より大きな面積の光出射部全体からほぼ同等の光量を出射することができる。
【００２９】
請求項１３に記載の発明は、請求項１２に記載の発明において、前記傾斜面は、前記発光パネルへの投影像の幅が、前記非発光部の幅より広く形成されている。傾斜面の前記発光パネルへの投影像の幅が、前記非発光部の幅より狭いと、照明装置の光出射側から暗部解消部材を眺めたとき、非発光部が見える状態となる。傾斜面の前記発光パネルへの投影像の幅を厳密に発光パネルの非発光部の幅と同じに形成すれば非発光部は見えないが、加工が難しい。しかし、この発明では、傾斜面の前記発光パネルへの投影像の幅が非発光部の幅より広く形成されているため、非発光部が見えず、即ち暗部の一部が線状に見えるのを防止することができる。
【００３０】
請求項１４に記載の発明は、請求項１２又は請求項１３に記載の発明において、前記傾斜面は、傾斜面先端から発光パネルまでの距離ａ１、傾斜面の発光パネルへの投影像の幅Ａ、傾斜面が発光パネルと垂直な面との成す角度ａ、空気の屈折率Ｎ１、暗部解消部材の屈折率Ｎ２、視野角θが、次の２式を満たすように形成されている。
【００３１】
ａ１＝Ａ／tan ａ…（２１）
θ＝arcsin〔（Ｎ２／Ｎ１）sin ｛９０−ａ−arcsin（Ｎ１／Ｎ２）｝〕…（２２）
この発明では、傾斜面が前記（２１），（２２）式を満たすように形成されているため、暗部解消部材の厚さを薄くすることを優先させるのか、視野角を大きくすることを優先させるのかに対応して、傾斜面が発光パネルと垂直な面との成す適切な角度ａ及び傾斜面先端から前記発光パネルまでの距離ａ１を容易に設定することができる。
【００３２】
請求項１５に記載の発明は、請求項１２〜請求項１４のいずれか一項に記載の発明において、前記傾斜面は、光学研磨面又は鏡面に形成されている。従って、この発明では、傾斜面が光学研磨面又は鏡面に形成されていない場合に比較して、傾斜面で散乱・吸収などによる光の減衰が少なく反射して暗部解消部材の光出射側から出射する光量が増え、発光部から出射される光を有効に利用することができる。
【００３３】
請求項１６に記載の発明は、請求項１２〜請求項１５のいずれか一項に記載の発明において、前記光出射部は、前記光入射部に対して傾斜する一又は複数の第２の傾斜面を有し、該第２の傾斜面は、前記傾斜面に対応する位置に形成されている。この発明では、第２の傾斜面が設けられていない構成に比較して、同じ視野角の暗部解消部材においてその厚さを薄くできる。
【００３４】
請求項１７に記載の発明は、請求項１２〜請求項１６のいずれか一項に記載の発明において、前記発光部は白色発光を行い、前記暗部解消部材には前記発光パネルと対向する面の前記傾斜面の部分を除く箇所に拡散部が設けられ、前記暗部解消部材は拡散部と前記各発光パネルとの間に隙間が存在する状態に配置されている。例えば、カラー表示の液晶表示装置のバックライト用として白色発光の発光部を使用した場合、発光部から出射される光のうち暗部解消部材に向かって真っ直ぐ進む光と、斜めに進む光とで色（波長）が異なる。その結果、傾斜面で反射されて暗部解消部材から出射される光、即ち非発光部と対応する位置から出射される光の色が、発光部と対応する位置から出射される光と異なる色となる。
【００３５】
この発明では、暗部解消部材には発光パネルと対向する面の傾斜面以外の箇所に拡散部が設けられ、拡散部と発光パネルとの間に隙間が存在する状態に配置されている。発光パネルの正面、即ち暗部解消部材の厚さ方向に出射される光は色が揃った光であり、その光が拡散部で拡散されて暗部解消部材に入射されるため、傾斜面で反射される光、即ち非発光部と対応する位置から出射される光と、発光部と対応する位置から出射される光とが同じ色になる。
【００３６】
請求項１８に記載の発明は、請求項１７に記載の発明において、前記拡散部は、拡散シートをその拡散面側が前記発光パネル側となるように前記暗部解消部材に光学的に一体化されている。この発明では、拡散部を暗部解消部材の発光パネル側の面に直接形成する場合に比較して拡散部の形成が容易になる。
【００３７】
請求項１９に記載の発明は、請求項１２〜請求項１８のいずれか一項に記載の発明において、前記暗部解消部材は、傾斜の方向が異なる２つの傾斜面から構成されるＶ字状溝を有し、該Ｖ字状溝が前記非発光部に対応するように配置されている。従って、この発明では、非発光部が認識され難くすることができる。
【００３８】
請求項２０に記載の発明は、請求項１９に記載の発明において、前記発光パネルの端部に位置する非発光部には一つの前記傾斜面が対応し、それ以外の非発光部には前記Ｖ字状溝が対応している。従って、この発明では、傾斜面及びＶ字状溝で光が反射・屈折などをすることによって、発光パネルの発光部よりも大きい面積を照射することができる。
【００３９】
請求項２１に記載の発明は、請求項１２〜請求項２０のいずれか一項に記載の発明において、前記非発光部は、補助電極が設けられている部分である。
請求項２２に記載の発明は、請求項１２〜請求項２０のいずれか一項に記載の発明において、前記非発光部は、前記発光部の周囲である前記発光パネルの端部に形成されている部分である。
【００４０】
請求項２３に記載の発明は、請求項１２〜請求項２２のいずれか一項に記載の発明において、前記面発光素子は有機エレクトロルミネッセンス素子で構成されている。従って、この発明では、出射光が等方性の発光部を容易に形成あるいは入手できる。
【００４１】
請求項２４に記載の発明は、請求項１２〜請求項２３のいずれか一項に記載の発明において、前記照明装置は液晶表示装置のバックライト用の照明装置である。従って、この発明の照明装置をバックライトに使用することにより、大きな画面の液晶表示装置において輝度むらの抑制された画面が得られる。
【発明の効果】
【００４２】
本発明によれば、出射光が等方性の複数の発光パネルを組み付けて構成された照明装置において、各発光パネルを切削加工する必要がなく、発光部からの出射光を有効に利用して隣接する発光パネル間の非発光部と対向する部分が暗くなるのを抑制することができる。
【００４３】
また、出射光が等方性の発光部と、非発光部とを備えた発光パネルを有する照明装置において、発光部より大きな面積の光出射部から、発光部及び非発光部に対応する位置に拘わらず、ほぼ同等の光量を出射することができる。
【発明を実施するための最良の形態】
【００４４】
（第１の実施形態）
以下、本発明を液晶表示装置のバックライトとして使用される照明装置に具体化した第１の実施形態を図１〜図４に従って説明する。図１（ａ）は液晶表示装置の部分模式断面図、（ｂ）は発光パネルの部分模式断面図である。図２は作用を示す模式図、図３は照明装置の部分模式平面図である。なお、模式断面図において、一部のハッチングの図示を省略している。
【００４５】
図１（ａ）に示すように、液晶表示装置１０は、透過型の液晶パネル１１と、その背面（表示面と反対側の面）側に配置される照明装置１２とを備えている。照明装置１２は、発光パネル１３を複数備えている。発光パネル１３は、出射光が等方性の発光部１４と、その周囲に設けられた非発光部１５とを有し、非発光部１５同士が隣接するように複数配置して設けられている。発光パネル１３の数は、発光パネル１３の大きさ及び照明装置１２の大きさに対応して設定され、発光パネル１３は一列あるいは複数列に配置される。この実施形態では図３に示すように、発光パネル１３は複数列に配置されている。なお、「出射光が等方性」とは、発光部１４から発せられる光があらゆる方向に向かって放射されることを意味する。
【００４６】
図１（ｂ）に示すように、発光パネル１３は、基板としての透明基板１６上に発光部１４としてのエレクトロルミネッセンス素子（ＥＬ素子）が設けられている。この実施形態では透明基板１６としてガラス基板が使用され、ＥＬ素子として有機ＥＬ素子が設けられている。有機ＥＬ素子は、透明基板１６側から第１電極１７、有機ＥＬ層１８及び第２電極１９が順に積層されて形成されている。有機ＥＬ素子は、有機ＥＬ層１８が水分（水蒸気）及び酸素の悪影響を受けないように、保護膜２０で被覆されている。この実施形態では、第１電極１７が陽極を構成し、第２電極１９が陰極を構成する。有機ＥＬ素子は、有機ＥＬ層１８からの光が透明基板１６側から取り出される（出射される）所謂ボトムエミッションタイプに構成されている。従って、第１電極１７が光透過性を有し、第２電極１９が光反射性を有する。第１電極１７、有機ＥＬ層１８、第２電極１９及び保護膜２０はそれぞれ公知の有機ＥＬ素子に使用される材質及び構成のものが使用されている。
【００４７】
透明基板１６上に形成される発光部１４としてのＥＬ素子は、陽極及び陰極を外部の駆動用回路等に接続するための端子電極や電極接続線（図示せず）を必要とし、それらの端子電極や電極接続線は、ＥＬ素子が形成された透明基板１６上のＥＬ素子の周囲に設けられている。この部分は、ＥＬ素子が発光しても光が出射されないため、非発光部１５となる。
【００４８】
図１（ａ）に示すように、発光パネル１３は、透明な材質で平板状に形成された暗部解消部材２１に接着剤２２を介して透明基板１６側において接着されている。即ち、暗部解消部材２１が発光パネル１３の光出射側に複数の発光パネル１３に対応する位置に配置されている。接着剤２２には、暗部解消部材２１の屈折率と同じ又は近い屈折率を有する紫外線硬化型接着剤や高分子系接着剤等が使用されている。「近い屈折率」とは、屈折率の差が数％以内であることを意味する。
【００４９】
暗部解消部材２１に使用される材料としては、透明なもので加工をすることができるものであればどのようなものを使用してもよく、例えば、アクリル、ガラス、ポリ塩化ビニル、ポリエチレン、ポリスチレン、ポリカーボネイトなどが使用される。この実施形態では、透明基板１６と同様のガラスで構成されている。
【００５０】
暗部解消部材２１は、型によって作製してもよく、平板状の基板の表面に切削加工などを施すことによって作製してもよい。
暗部解消部材２１は、発光パネル１３側の面の隣接する発光パネル１３の非発光部１５及びその間の部分と対応する位置に、暗部解消部材２１の発光部１４に対応する位置から出射する光量と、暗部解消部材２１の非発光部１５に対応する位置から出射する光量とが同等となるようにＶ字状溝２３が設けられている。
【００５１】
Ｖ字状溝２３は、その傾斜面２３ｂが光学研磨面又は鏡面に形成されている。Ｖ字状溝２３は、その開放端の幅Ａ２が、隣接して配置された発光パネル１３の発光部１４間の幅Ｗより広く形成されている。即ち、暗部解消部材２１のＶ字状溝２３内に発光部１４の端部が存在する状態で発光パネル１３が暗部解消部材２１に接着されている。Ｖ字状溝２３の開放端の幅Ａ２が発光パネル１３の発光部１４間の幅Ｗより広い割合は、暗部解消部材２１の加工の許容誤差で開放端の幅Ａ２が前記幅Ｗより狭くならない値に設定されている。
【００５２】
Ｖ字状溝２３は、図４（ａ）に示す、Ｖ字状溝２３の深さＡ１、Ｖ字状溝２３の開放端の幅Ａ２、Ｖ字状溝２３の頂角α、空気の屈折率Ｎ１、暗部解消部材２１の屈折率Ｎ２、視野角θが、次の２式を満たすように形成されている。
【００５３】
Ａ１＝Ａ２／｛２tan （α／２）｝…（１）
θ＝arcsin〔（Ｎ２／Ｎ１）sin ｛９０−α／２−arcsin（Ｎ１／Ｎ２）｝〕…（２）
ここで「視野角」とは、照明装置を暗部解消部材から眺めた際に、隣接する発光パネルの非発光部が見えない方向のうち最も発光パネルに近い方向と、発光パネルに垂直で暗部解消部材のＶ溝以外部分の平面の法線との成す角度を意味する。Ｖ字状溝２３の開放端の幅Ａ２は、発光パネル１３の非発光部１５の幅に依存し、空気の屈折率Ｎ１は変えることができず、暗部解消部材２１の屈折率Ｎ２もあまり変えることができない。従って、暗部解消部材２１の厚さを薄くすることを優先させるのか、視野角を大きくすることを優先させるのかに対応して、適切なＶ字状溝の頂角α及びＶ字状溝の深さＡ１が設定される。
【００５４】
次に前記のように構成された照明装置１２の作用を説明する。
照明装置１２は、図示しない駆動制御装置を介して第１電極１７と第２電極１９とに電圧が印加され、各発光パネル１３の発光部１４が発光する。発光部１４からの光は、透明基板１６から接着剤２２を経て暗部解消部材２１に入射される。発光部１４は等方性のため、発光部１４から出射される光の一部は透明基板１６内を発光パネル１３の端部側に向かって斜めに進む。そして、図２に示すように、暗部解消部材２１に斜めに入射した光の一部がＶ字状溝２３で反射して、暗部解消部材２１の出射面と直交する方向へ進む。従って、隣接する各発光パネル１３間の非発光部１５と対応する部分からも、発光部１４と対応する部分と同等の光量で出射され、照明装置１２の各発光パネル１３間の非発光部１５と対応する部分が暗くなるのを抑制することができる。そして、暗部解消部材２１の光出射面から液晶パネル１１に向かって出射された光が照明装置１２の照明光として有効に作用し、液晶表示装置１０の使用者は液晶パネル１１の表示をその照明光により視認する。
【００５５】
次に図４（ａ），（ｂ）を参照しつつ、視野角θと暗部解消部材２１の頂角αとの関係を示す前記（１），（２）式を導く手順を説明する。視野角θを決定するには、Ｖ字状溝２３と直交する断面において、Ｖ字状溝２３の傾斜面２３ｂに暗部解消部材２１の外側から９０度の入射角で入射した光が暗部解消部材２１から出射する際、暗部解消部材２１の出射面に垂直な直線と前記出射光との成す角度を視野角θとすればよい。図４（ａ）に示すように、Ｖ字状溝２３の深さをＡ１、Ｖ字状溝２３の開放端の幅をＡ２、Ｖ字状溝２３の頂角をαとすると次式が成り立つ。
【００５６】
tan （α／２）＝（Ａ２／２）／Ａ１…（３）
また、図４（ｂ）に示すように、Ｖ字状溝２３の傾斜面２３ｂへの入射角をθ１＝９０度、その屈折角をθ２、その光が暗部解消部材２１から出射する際の空気層への入射角をγ１とすると、Ｓｎｅｌｌの法則により、次式が成り立つ。
【００５７】
Ｎ１ｓｉｎθ＝Ｎ２ｓｉｎ（γ１）…（４）
Ｎ２ｓｉｎ（θ２）＝Ｎ１ｓｉｎ（θ１）＝Ｎ１…（５）
θ２＋γ１＋α／２＝９０…（６）
従って、（３）式に基づいてＶ字状溝２３の深さＡ１を表す（１）式が導かれ、（４）〜（６）式に基づいて視野角θを表す（２）式が導かれる。
【００５８】
Ａ１＝（Ａ２／２）／｛tan （α／２）｝＝Ａ２／｛２tan （α／２）｝…（１）
θ＝arcsin〔（Ｎ２／Ｎ１）sin ｛９０−α／２−arcsin（Ｎ１／Ｎ２）｝〕…（２）
例えば、Ｖ字状溝２３の開放端の幅Ａ２が２．２ｍｍのとき、頂角αを１２．５度とすると、視野角θが約８２度でＶ字状溝２３の深さＡ１は１０．０ｍｍになる。また、Ｖ字状溝２３の開放端の幅Ａ２が２．２ｍｍのとき、頂角αを４０度とすると、視野角θが約４４度でＶ字状溝２３の深さＡ１は３．０ｍｍになる。従って、前記（１），（２）式を満たすように形成することにより、暗部解消部材２１の厚さを薄くすることを優先させるのか、視野角θを大きくすることを優先させるのかに対応して、適切なＶ字状溝２３の頂角α及びＶ字状溝２３の深さＡ１を容易に設定することができる。
【００５９】
この実施形態では以下の効果を有する。
（１）複数の発光パネル１３が並んで接合されているために、１つの発光パネル１３を用いたときに比べて大きい面積を照射できる。
【００６０】
（２）照明装置１２は、出射光が等方性の発光部１４と、その周囲に設けられた非発光部１５とを有する発光パネル１３を非発光部１５同士が隣接するように複数配置して設けられ、発光パネル１３の光出射側に透明な材質で平板状に形成された暗部解消部材２１が複数の発光パネル１３に対応する位置に配置されている。暗部解消部材２１は、発光パネル１３側の面の隣接する発光パネル１３の非発光部１５及びその間の部分と対応する位置に、暗部解消部材２１の発光部１４に対応する位置から出射する光量と、暗部解消部材２１の非発光部１５に対応する位置から出射する光量とが同等となるようにＶ字状溝２３が設けられている。従って、各発光パネル１３を切削加工する必要がなく、発光部１４からの出射光を有効に利用して照明装置１２の各発光パネル１３間の非発光部１５と対応する部分が暗くなるのを抑制することができる。
【００６１】
（３）Ｖ字状溝２３は、その開放端の幅Ａ２が、隣接して配置された発光パネル１３の発光部１４間の幅Ｗより広く形成されている。従って、Ｖ字状溝２３の開放端の幅Ａ２を厳密に発光パネル１３の発光部１４間の幅Ｗと同じに形成しなくても、Ｖ字状溝２３を許容誤差内で加工することで非発光部１５が見えない状態、即ち暗部の一部が線状に見えるのを防止することができる。
【００６２】
（４）Ｖ字状溝２３は、その傾斜面２３ｂが光学研磨面又は鏡面に形成されている。従って、Ｖ字状溝２３の傾斜面２３ｂが光学研磨面又は鏡面に形成されていない場合に比較して、散乱・吸収などによる光の減衰が少なくＶ字状溝２３で反射して暗部解消部材２１の光出射側から出射する光量が増え、発光部１４から出射される光を有効に利用することができる。
【００６３】
（５）Ｖ字状溝２３は、Ｖ字状溝２３の深さＡ１、Ｖ字状溝２３の開放端の幅Ａ２、Ｖ字状溝２３の頂角α、空気の屈折率Ｎ１、暗部解消部材２１の屈折率Ｎ２、視野角θが、次の２式を満たすように形成されている。
【００６４】
Ａ１＝Ａ２／｛２tan （α／２）｝…（１）
θ＝arcsin〔（Ｎ２／Ｎ１）sin ｛９０−α／２−arcsin（Ｎ１／Ｎ２）｝〕…（２）
従って、暗部解消部材２１の厚さを薄くすることを優先させるのか、視野角θを大きくすることを優先させるのかに対応して、適切なＶ字状溝２３の頂角α及びＶ字状溝２３の深さＡ１を容易に設定することができる。
【００６５】
（６）発光パネル１３は接着剤２２を介して暗部解消部材２１に接着されている。従って、発光パネル１３及び暗部解消部材２１の間に屈折率が透明基板１６及び暗部解消部材２１に近い液体あるいはゲルを介在させた状態で発光パネル１３及び暗部解消部材２１を配置する構成に比較して組み付けが容易になる。
【００６６】
（７）発光部１４はＥＬ素子で構成されている。従って、出射光が等方性の発光部１４を容易に形成又は入手できる。
（８）発光部１４は有機ＥＬ素子で構成されている。従って、無機ＥＬ素子を使用する場合に比較して低電圧で駆動することができる。
【００６７】
（９）照明装置１２は液晶表示装置１０のバックライト用の照明装置である。従って、大きな画面の液晶表示装置１０において輝度むらの抑制された画面が得られる。
（第２の実施形態）
次に第２の実施形態を図５に従って説明する。この実施形態では照明装置１２がカラー表示用の液晶表示装置に好適に使用可能に構成されている点が前記第１の実施形態の照明装置１２と異なっている。具体的には、発光部１４が白色発光を行うように構成されている点と、暗部解消部材２１の出射面全体から同じ色の光が出射されるように構成されている点とが前記第１の実施形態と異なっている。第１の実施形態と実質上同一部分は同一の符号を付してその詳しい説明を省略する。図５は液晶表示装置１０の部分模式断面図である。
【００６８】
発光部１４を構成する有機ＥＬ素子の有機ＥＬ層１８は白色発光を行うように構成されている。白色発光を行う構成としては、公知の構成、例えば、赤、緑、青に発光する層を平面的に微細に塗り分けて全体として白色発光とする構成、赤、緑、青に発光する層を積層して全体として白色発光とする構成、赤、緑、青の色素をホスト分子あるいは高分子中に分散させる構成等がある。
【００６９】
暗部解消部材２１には発光パネル１３と対向する面のＶ字状溝２３の部分を除く箇所に拡散部２４が設けられている。拡散部２４は、暗部解消部材２１のＶ字状溝２３が形成されている側の面に拡散シート２５をその拡散面２５ａが発光パネル１３側となるように接着剤２２を介して光学的に一体化されることにより構成されている。暗部解消部材２１は、拡散部２４と発光パネル１３との間に隙間が存在する状態に配置されている。この実施形態では、発光パネル１３の透明基板１６の暗部解消部材２１と対向する面にも、拡散シート２５が、その拡散面２５ａが暗部解消部材２１となるように接着剤２２を介して貼付されている。そして、暗部解消部材２１は拡散部２４が発光パネル１３側の拡散シート２５上に載置された状態に配置されている。
【００７０】
次に前記のように構成された照明装置１２の作用を説明する。発光部１４が駆動されると、各発光部１４から白色発光が出射され、拡散シート２５、暗部解消部材２１を経て照明装置１２から出射される。発光部１４から出射される光のうち暗部解消部材２１に向かって真っ直ぐ進む光と、斜めに進む光とで色（波長）が異なる。従って、前記第１の実施形態のように、発光パネル１３の透明基板１６、接着剤２２及び暗部解消部材２１が同じ又は同等（数％以内）の屈折率の材質で構成されている場合は、Ｖ字状溝２３で反射されて暗部解消部材２１から出射される光の色が、発光部１４と対応する位置から出射される光と異なる色となる。その結果、隣接する発光パネル１３の非発光部１５及びその間と対応する部分から出射される光の色が他の部分から出射される光の色と異なる状態となり、照明装置１２をカラー表示の液晶表示装置１０のバックライト用として使用した場合、画像の一部に色の不具合が生じる。
【００７１】
しかし、この実施形態の構成では、暗部解消部材２１には発光パネル１３と対向する面のＶ字状溝２３以外の箇所に拡散部２４が設けられ、拡散部２４と各発光パネル１３との間に隙間が存在する状態に配置されているため、発光パネル１３から出射された光は、空気の層を経て暗部解消部材２１に入射する。空気の屈折率は約１．０であり、透明基板１６の屈折率は約１．５であるため、Ｓｎｅｌｌの法則により、発光パネル１３から空気層に入射する際の入射角より空気層における屈折角が大きくなる。従って、発光パネル１３から空気層に大きな入射角で入射する光は、暗部解消部材２１に入射し難くなり、各発光パネル１３の正面、即ち暗部解消部材２１の厚さ方向に出射される光が暗部解消部材２１に入射され易くなる。各発光パネル１３の正面に出射される光は色が揃った光である。そして、その光が拡散部２４で拡散されて暗部解消部材２１に入射されるため、Ｖ字状溝２３で反射される光、即ち発光パネル１３の非発光部１５及びその間の部分と対応する位置から出射される光と、発光部１４と対応する位置から出射される光とが同じ色になる。
【００７２】
この第２の実施形態においては、第１の実施形態の効果（１）〜（５），（７）〜（９）と同様の効果を有する他に次の効果を有する。
（１０）有機ＥＬ層１８は白色発光を行うように構成されている。従って、照明装置１２を液晶表示装置のバックライトとして使用する場合、カラーフィルタを使用したフルカラー表示に対応できる。
【００７３】
（１１）暗部解消部材２１には発光パネル１３と対向する面のＶ字状溝２３の部分を除く箇所に拡散部２４が設けられ、暗部解消部材２１は、拡散部２４と発光パネル１３との間に隙間が存在する状態に配置されている。従って、透明基板１６内を出射面に向かって真っ直ぐに進む光の色と、斜めに進む光の色とが異なっても、Ｖ字状溝２３で反射される光、即ち非発光部と対応する位置から出射される光と、発光部１４と対応する位置から出射される光とが同じ色になる。その結果、照明装置１２をカラー表示の液晶表示装置１０のバックライト用として使用した場合、画像の一部に色の不具合が生じるのを防止することができる。
【００７４】
（１２）拡散部２４は、拡散シート２５をその拡散面２５ａ側が発光パネル１３側となるように暗部解消部材２１のＶ字状溝２３が形成されている側の面に光学的に一体化されている。従って、拡散部２４を暗部解消部材２１の発光パネル１３側の面に直接形成する場合に比較して拡散部２４の形成が容易になる。
【００７５】
（１３）発光パネル１３側にも、拡散部を構成する拡散面２５ａが暗部解消部材２１側となるように拡散シート２５が貼付されている。従って、発光パネル１３側に拡散シート２５を設けない構成に比較して、発光パネル１３から出射して暗部解消部材２１に入射する光量を増やすことができる。
【００７６】
（第３の実施形態）
次に第３の実施形態を図６〜図８に従って説明する。この実施形態では暗部解消部材２１に、その厚さを薄くするための構成が設けられている点が前記第１の実施形態と異なっており、その他の構成は第１の実施形態の照明装置１２と同じである。第１の実施形態と同一部分は同一の符号を付してその詳しい説明を省略する。図６及び図７は液晶表示装置１０の部分模式断面図である。
【００７７】
図６及び図７に示すように、暗部解消部材２１は、Ｖ字状溝２３が設けられた部分の発光パネル１３に対向する面と反対側の面に、Ｖ字状溝２３と向かい合うように第２のＶ字状溝２６が設けられている。第２のＶ字状溝２６は、図６に示すように、発光パネル１３に垂直でＶ字状溝２３と平行に延びるとともにＶ字状溝２３の最深部２３ａを通る仮想平面Ｐ１上に、その最深部２６ａが存在する状態、あるいは図７に示すように、前記仮想平面Ｐ１上にその最深部２６ａが存在しない状態のいずれであってもよい。
【００７８】
第１の実施形態のように暗部解消部材２１の発光パネル１３側の面にＶ字状溝２３を設けた構成では、開放端の幅Ａ２、暗部解消部材２１の屈折率Ｎ２の値にもよるが、視野角θを大きくすると、Ｖ字状溝２３の深さＡ１が深く、即ち暗部解消部材２１の厚さが厚くなる。その結果、発光パネル１３が薄くても照明装置１２全体としての厚さが厚くなるという問題がある。例えば、暗部解消部材２１の屈折率Ｎ２を１．４９２、開放端の幅Ａ２を２．２ｍｍ、とした場合、視野角θを約８２度にすると、Ｖ字状溝２３の深さＡ１は１０ｍｍになる。
【００７９】
この実施形態では暗部解消部材２１のＶ字状溝２３が形成された面と反対側の面に第２のＶ字状溝２６が存在することにより、同じ視野角であればＶ字状溝２３の深さＡ１を浅くでき、暗部解消部材２１の厚さを薄くでき、暗部解消部材２１の厚さが同じであれば、視野角を広くできる。
【００８０】
次に図８（ａ），（ｂ），（ｃ）を参照しつつ、視野角θを求めるための式を導く手順と、暗部解消部材２１の厚さを設定するための式とを説明する。図８（ａ），（ｃ）に示すように、暗部解消部材２１の下面における関係式は第１の実施形態と同じで、（３），（５），（６）式が成り立つ。但し、（６）式においてγ１は暗部解消部材２１に入射した光が暗部解消部材２１の下面に対する垂線との成す角を示す。
【００８１】
tan （α／２）＝（Ａ２／２）／Ａ１…（３）
Ｎ２ｓｉｎ（θ２）＝Ｎ１ｓｉｎ（θ１）＝Ｎ１…（５）
θ２＋γ１＋α／２＝９０…（６）
また、暗部解消部材２１の上面に関しては、第２のＶ字状溝２６の斜面２６ｂにおける空気層への入射角をθ３、第２のＶ字状溝２６の頂角をβ、屈折角をθ４とすると、Ｓｎｅｌｌの法則により、次式が成り立つ。
【００８２】
Ｎ１ｓｉｎ（θ４）＝Ｎ２ｓｉｎ（θ３）…（７）
また、図８（ａ），（ｂ）から、入射角θ３、角γ１、出射角θ４、視野角θ、頂角β、第２のＶ字状溝２６の深さＢ１及び第２のＶ字状溝２６の開放端の幅Ｂ２との間には次式が成り立つ。
【００８３】
θ３＝γ１＋（９０−β／２）…（８）
θ＝θ４−（９０−β／２）…（９）
tan （９０−β／２）＝Ｂ１／（Ｂ２／２）＝２Ｂ１／Ｂ２…（１０）
また、次式の関係が成り立つように第２のＶ字状溝２６の頂角βを設定する。
【００８４】
tan （γ１）＝（Ｂ２−Ａ２）／（２Ｃ）…（１１）
Ｃ＝Ａ１＋ＡＢ＋Ｂ１…（１２）
従って、例えば、暗部解消部材２１の頂角αの値を決めると、（３），（５），（６）式に基づいてＶ字状溝２３の深さＡ１、屈折角θ２、角γ１が決定される。次に、所望の視野角θを決めると、式（７），（８），（９）から暗部解消部材２１の頂角βが求められる。次に式（１０），（１１），（１２）から第２のＶ字状溝２６の深さＢ１、開放端の幅Ｂ２及び暗部解消部材２１の厚さＣが求められる。
【００８５】
前記のように暗部解消部材２１にＶ字状溝２３及び第２のＶ字状溝２６を設けることにより、暗部解消部材２１の厚さが同じであれば視野角θを広くでき、視野角θが同じであれば厚さを薄くできる。この構成において、Ｖ字状溝２３及び第２のＶ字状溝２６の各頂角が頂角の曲率半径が０．０５mm以下に形成されていない場合、発光パネル１３に垂直でＶ字状溝２３と平行に延びるとともにＶ字状溝２３の最深部２３ａを通る仮想平面Ｐ１上に、第２のＶ字状溝２６の最深部２６ａが存在するようにＶ字状溝２３及び第２のＶ字状溝２６が形成されると不具合が生じる場合がある。なぜならば、Ｖ字状溝２３及び第２のＶ字状溝２６の各頂角の曲率半径が０．０５mm以下に形成されていない場合、各最深部２３ａ，２６ａには平坦部が存在するため、照明装置１２の光出射側から暗部解消部材２１を眺めたとき、両最深部２３ａ，２６ａの一致する箇所から非発光部と対応する部分の一部が暗い線状に見える状態となる。しかし、図７に示す構成のように、Ｖ字状溝２３及び第２のＶ字状溝２６の最深部２３ａ，２６ａが、照明装置１２の光出射側から暗部解消部材２１を眺めたとき一致していない場合は、非発光部と対応する部分の一部が暗い線状に見える状態を抑制することができる。  
【００８６】
この第３の実施形態においては、第１の実施形態の効果（１）〜（９）と同様の効果を有する他に次の効果を有する。
（１４）暗部解消部材２１は、Ｖ字状溝２３が設けられた部分の発光パネル１３に対向する面と反対側の面に、Ｖ字状溝２３と向かい合うように第２のＶ字状溝２６が設けられている。従って、第２のＶ字状溝２６が設けられていない構成に比較して、同じ視野角の暗部解消部材２１においてその厚さを薄くできる。
【００８７】
（１５）第２のＶ字状溝２６は、発光パネル１３に垂直でＶ字状溝２３と平行に延びるとともにＶ字状溝２３の最深部２３ａを通る仮想平面Ｐ１上に、その最深部２６ａが存在しない状態に設けられている。従って、Ｖ字状溝２３及び第２のＶ字状溝２６の頂角の曲率半径が０．０５mm以下に形成されていなくても、各最深部２３ａ，２６ａは、照明装置１２の光出射側から暗部解消部材２１を眺めたときに一致していないため、非発光部と対応する部分の一部が暗い線状に見える状態を抑制することができる。
【００８８】
（第４の実施形態）
次に第４の実施形態を図９〜図１１に従って説明する。この実施形態では発光パネルが複数個ではなく、１つのみ設けられている点が前記各実施形態と異なっている。その他の構成として、第２及び第３の実施形態と同様な構成を備えている。なお、前記実施形態と同一部分は同一の符号を付してその詳しい説明を省略する。図９は照明装置の模式平面図、図１０は照明装置の部分模式断面図である。
【００８９】
図９に示すように、照明装置１２は１つの発光パネル１３と暗部解消部材２１とを備えている。第１の実施形態と同様に、発光パネル１３は、基板としての透明基板１６と、透明基板１６上に形成された面発光素子としての有機エレクトロルミネッセンス（ＥＬ）素子を備えるとともに、出射光が等方性の発光部１４と非発光部１５とを備えている。即ち、発光部１４は、有機ＥＬ素子で構成されている。非発光部１５は、この実施形態では、発光部１４の周囲である発光パネル１３の端部に形成されている。図１０に示すように、暗部解消部材２１は、発光パネル１３の発光部１４及び非発光部１５を覆う状態で配置されている。また、暗部解消部材２１は、光が入射する光入射部２９と光が出射する光出射部３０とを有しており、光入射部２９は、光出射部３０に対して傾斜する１つの傾斜面２７を有している。暗部解消部材２１の発光パネル１３の非発光部１５と対応する位置に、この実施形態では暗部解消部材２１の周縁に、傾斜面２７が設けられている。傾斜面２７は、暗部解消部材２１の発光部１４に対応する位置から出射する光量と、非発光部１５に対応する位置から出射する光量とが同等となるように設けられている。
【００９０】
傾斜面２７は、光学研磨面又は鏡面に形成されている。傾斜面２７は、発光パネル１３への投影像の幅Ａが、非発光部１５の幅より広く形成されている。
発光部１４は、第２の実施形態と同様に、白色発光を行う有機ＥＬ層を備えた有機ＥＬ素子で構成されている。
【００９１】
暗部解消部材２１には発光パネル１３と対向する面の傾斜面２７の部分を除く箇所に拡散部２４が設けられている。拡散部２４は、暗部解消部材２１に拡散シート２５を貼付することにより構成されている。発光パネル１３の透明基板１６の暗部解消部材２１と対向する面にも、拡散シート２５が貼付されている。
【００９２】
図１１は視野角θ、傾斜面２７、暗部解消部材２１の厚さＣ等の関係を示す模式図である。なお、図１１では、図示の都合上、拡散部２４等を省略している。傾斜面２７は、図１１に示す、傾斜面２７先端から発光パネル１３までの距離ａ１、傾斜面２７の発光パネル１３への投影像の幅Ａ、傾斜面２７が発光パネル１３と垂直な面Ｐ２との成す角度ａ、空気の屈折率Ｎ１、暗部解消部材の屈折率Ｎ２、視野角θが、次の２式を満たすように形成されている。
【００９３】
ａ１＝Ａ／tan ａ…（２１）
θ＝arcsin〔（Ｎ２／Ｎ１）sin ｛９０−ａ−arcsin（Ｎ１／Ｎ２）｝〕…（２２）
また、暗部解消部材２１の光出射部３０には、光入射部２９に対して傾斜する第２の傾斜面２８が設けられており、第２の傾斜面２８は、傾斜面２７に対応する位置に形成されている。
【００９４】
暗部解消部材２１の光入射部２９に傾斜面２７を設けた構成では、投影像の幅Ａ、暗部解消部材２１の屈折率Ｎ２の値にもよるが、視野角θを大きくすると、傾斜面２７先端から発光パネル１３までの距離ａ１が大きく、即ち暗部解消部材２１の厚さＣが厚くなる。その結果、発光パネル１３が薄くても照明装置１２全体としての厚さが厚くなるという問題がある。例えば、暗部解消部材２１の屈折率Ｎ２を１．４９２、投影像の幅Ａを２．２ｍｍ、とした場合、視野角θを約８２度にすると、前記距離ａ１は１０ｍｍになる。
【００９５】
この実施形態では暗部解消部材２１の光出射部３０に第２の傾斜面２８が存在することにより、同じ視野角であれば前記距離ａ１を短くでき、暗部解消部材２１の厚さＣを薄くでき、暗部解消部材２１の厚さが同じであれば、視野角を広くできる。
【００９６】
次に図１１を参照しつつ、視野角θを求めるための式と、暗部解消部材２１の厚さＣを設定するための式とを説明する。この実施形態では、Ｖ字状溝２３の深さＡ１に代えて距離ａ１、Ｖ字状溝２３の開放端の幅Ａ２の１／２に代えて投影像の幅Ａ、Ｖ字状溝２３の頂角αの１／２に代えて傾斜面２７が発光パネル１３と垂直な面との成す角度ａを使用することにより、第１の実施形態の（３），（５）式に代えて、（２３），（２４）式が成り立つ。但し、（２４）式においてγ１は暗部解消部材２１に入射した光が暗部解消部材２１の下面に対する垂線との成す角を示す。
【００９７】
tan ａ＝Ａ／ａ１…（２３）
θ２＋γ１＋ａ＝９０…（２４）
また、暗部解消部材２１の上面に関しては、第２の傾斜面２８における空気層への入射角をθ３、第２の傾斜面２８が発光パネル１３と垂直な面Ｐ２との成す角度をｂ、出射角（屈折角）をθ４とすると、Ｓｎｅｌｌの法則により、次式が成り立つ。
【００９８】
Ｎ１ｓｉｎ（θ４）＝Ｎ２ｓｉｎ（θ３）…（２５）
また、入射角θ３、角γ１、出射角θ４、視野角θ、角度ｂ、第２の傾斜面２８先端から出射面を含む平面までの距離ｂ１及び出射面を含む平面への第２の傾斜面２８の投影像の幅Ｂとの間には次式が成り立つ。
【００９９】
θ３＝γ１＋（９０−ｂ）…（２６）
θ＝θ４−（９０−ｂ）…（２７）
tan （９０−ｂ）＝ｂ１／Ｂ…（２８）
また、次式の関係が成り立つように、即ち、図１１において、傾斜面２７の基端２７ｂから角γ１となるように暗部解消部材２１に入射した光が、第２の傾斜面２８の基端から出射するように第２の傾斜面２８が発光パネル１３と垂直な面Ｐ２との成す角度ｂを設定する。
【０１００】
tan （γ１）＝（Ｂ−Ａ）／Ｃ…（２９）
Ｃ＝ａ１＋ｂ１…（３０）
この第４の実施形態では、第１の実施形態の効果（８）、（９）、第２の実施形態の効果（１０），（１２），（１３）と同様の効果を有する他に次の効果を有する。
【０１０１】
（１６）照明装置１２は、発光パネル１３と暗部解消部材２１とを備えており、発光パネル１３は、透明基板１６と透明基板１６上に形成された有機ＥＬ素子とを備えるとともに、光が等方性の発光部１４と非発光部１５とを有している。暗部解消部材２１は、光が入射する光入射部２９と光が出射する光出射部３０とを有し、光入射部２９は、光出射部３０に対して傾斜する一つの傾斜面２７を有している。そして、発光パネル１３の非発光部１５と対応する位置に、暗部解消部材２１の発光部１４に対応する位置から出射する光量と、暗部解消部材２１の非発光部１５に対応する位置から出射する光量とが同等となるように、傾斜面２７が設けられている。従って、発光部１４より大きな面積の光出射部３０全体からほぼ同等の光量を出射することができる。
【０１０２】
（１７）暗部解消部材２１の光入射部２９の傾斜面２７以外の箇所に拡散部２４が設けられ、拡散部２４と発光パネル１３との間に隙間が存在する状態に配置されている。発光パネル１３の正面、即ち暗部解消部材２１の厚さ方向に出射される光は色が揃った光であり、その光が拡散部２４で拡散されて暗部解消部材２１に入射されるため、傾斜面２７で反射される光、即ち非発光部１５と対応する位置から出射される光と、発光部１４と対応する位置から出射される光とが同じ色になる。
【０１０３】
（１８）傾斜面２７は、発光パネル１３への投影像の幅Ａが、非発光部の幅より広く形成されている。傾斜面２７の発光パネル１３への投影像の幅Ａが、非発光部１５の幅より狭いと、照明装置１２の光出射側から暗部解消部材２１を眺めたとき、非発光部１５が見える状態となる。傾斜面２７の発光パネル１３への投影像の幅Ａを厳密に発光パネル１３の非発光部１５の幅と同じに形成すれば非発光部１５は見えないが、加工が難しい。しかし、この実施形態では、傾斜面２７の発光パネル１３への投影像の幅Ａが非発光部１５の幅より広く形成されているため、非発光部１５が見えず、即ち暗部の一部が線状に見えるのを防止することができる。
【０１０４】
（１９）傾斜面２７が前記（２１），（２２）式を満たすように形成されているため、暗部解消部材２１の厚さを薄くすることを優先させるのか、視野角を大きくすることを優先させるのかに対応して、傾斜面２７の発光パネル１３と垂直な面Ｐ２との成す適切な角度ａ及び傾斜面先端から発光パネル１３までの距離ａ１を容易に設定することができる。
【０１０５】
（２０）傾斜面２７は、光学研磨面又は鏡面に形成されている。従って、傾斜面２７が光学研磨面又は鏡面に形成されていない場合に比較して、傾斜面２７で散乱・吸収などによる光の減衰が少なく反射して暗部解消部材２１の光出射部３０から出射する光量が増え、発光部１４から出射される光を有効に利用することができる。
【０１０６】
（２１）暗部解消部材２１の光出射部３０は、光入射部２９に対して傾斜する一つの第２の傾斜面２８を有し、第２の傾斜面２８は、傾斜面２７に対応する位置に形成されている。従って、第２の傾斜面２８が設けられていない構成に比較して、同じ視野角の暗部解消部材２１においてその厚さを薄くできる。
【０１０７】
（第５の実施形態）
次に第５の実施形態を図１２及び図１３に従って説明する。この実施形態では、補助電極が形成されている部分に非発光部３５が形成されている点が前記第１〜第４の実施形態と異なっている。その他の構成は基本的に各実施形態と同様であり、同一部分は同一の符号を付してその詳しい説明を省略する。図１２は発光パネル１３の模式平面図、図１３は照明装置の部分模式断面図である。
【０１０８】
発光部１４は有機エレクトロルミネッセンス素子で構成され、透明基板１６側に透明電極からなる第１電極１７が設けられ、透明電極としてＩＴＯ（インジウム錫酸化物）やＺｎＯ（酸化亜鉛）等が用いられている。透明電極は電気抵抗値が十分低くないため、接続端子（図示せず）から近い部分と遠い部分とで電気抵抗値の差が大きくなり、有機ＥＬ層１８を流れる電流値についても差が大きくなる。透明電極の面積が広くなると、有機ＥＬ層１８を流れる電流値の場所による差が大きくなり、有機ＥＬ素子の発光輝度はその電流値に影響されるため、発光輝度にむらが発生する。この輝度むらを抑制するため、透明電極である第１電極１７上に補助電極３１が設けられている。
【０１０９】
補助電極３１は透明基板１６上に形成され、補助電極３１を覆うように第１電極１７が形成されている。補助電極３１は第１電極１７と電気的に接続されている。補助電極３１は第１電極１７より低抵抗であり、例えばアルミニウムなどの金属又は金属合金などが使用できる。補助電極３１は不透明であるため、補助電極３１と対応する部分も非発光部３５を構成する。図１３に示すように、暗部解消部材２１は、傾斜の方向が異なる２つの傾斜面３２，３３から構成されるＶ字状溝３４を有し、Ｖ字状溝３４が補助電極による非発光部３５に対応するように配置されている。
【０１１０】
透明電極は、金属電極に比較して体積抵抗率が高い材料によって構成されるため、補助電極３１を設けずに、発光部１４の面積が大きくなると、有機ＥＬ層を流れる電流密度のばらつきが場所によって大きくなり易く、輝度むらが発生し易くなる。しかし、この実施形態では透明電極と電気的に接続された状態で、補助電極３１が設けられている。従って、発光部１４の位置による電流密度のばらつきが小さくなり、発光部全体としての輝度むらが抑制される。
【０１１１】
補助電極３１は不透明なため、補助電極３１を設けただけでは、補助電極３１と対応する部分の出射面が暗くなる。しかし、暗部解消部材２１には、補助電極３１と対応する部分にＶ字状溝３４が設けられているため、発光部１４に対応する位置から出射する光量と、非発光部３５に対応する位置から出射する光量とが同等となるように光が出射される。
【０１１２】
従って、この実施形態では、次の効果を有する。
（２２）透明電極からなる第１電極と電気的に接続するように補助電極３１が形成されている。従って、補助電極３１が形成されていない場合と比べて照明装置１２全体の輝度むらが抑制される。
【０１１３】
（２３）暗部解消部材２１は、傾斜の方向が異なる２つの傾斜面３２，３３から構成されるＶ字状溝３４を有し、Ｖ字状溝３４が補助電極３１による非発光部３５に対応するように配置されている。従って、この発明では、補助電極３１による非発光部３５を認識し難くすることができる。
【０１１４】
実施形態は前記に限定されるものではなく、例えば次のように構成してもよい。
○  第２の実施形態ように、暗部解消部材２１の発光パネル１３と対向する面のＶ字状溝２３の部分を除く箇所に設けられる拡散部２４を、拡散シート２５の貼付により形成する代わりに、図１４に示すように、暗部解消部材２１の発光パネル１３側の面に直接形成してもよい。また、第４の実施形態の場合も同様にして拡散部２４を設けてもよい。
【０１１５】
○  第２の実施形態及び第４の実施形態において、発光パネル１３側に設けられた拡散シート２５を省略してもよい。
○  第２の実施形態及び第４の実施形態において、拡散部２４を備えた暗部解消部材２１を発光パネル１３上に載置する構成に代えて、暗部解消部材２１を拡散部２４が発光パネル１３から完全に浮いた状態に配置してもよい。
【０１１６】
○  透明基板１６及び暗部解消部材２１の材質はガラスに限らず、透明であればよく、例えば、樹脂等であってもよい。
○  第３の実施形態の構成、即ち暗部解消部材２１に第２のＶ字状溝２６を設ける構成を第２の実施形態及び第５の実施形態の構成に適用してもよい。即ち、第２の実施形態及び第５の実施形態において、暗部解消部材２１のＶ字状溝２３，３４と対応する箇所に第２のＶ字状溝２６を設ける。
【０１１７】
○  発光部１４を構成する有機ＥＬ素子は透明基板１６側から光を出射する構成に限らず、図１５（ａ）に示すように、透明基板１６と反対側から光を出射する所謂トップエミッション型の有機ＥＬ素子を使用してもよい。発光パネル１３は透明基板１６側が発光部１４を挟んで暗部解消部材２１と反対側となるように配置される。有機ＥＬ素子は、第２電極１９が透明電極で構成され、第１電極１７は透明電極で構成されても不透明な電極で構成されてもよい。また、基板は透明基板１６に限らず、不透明な基板であってもよい。トップエミッション型の有機ＥＬ素子を使用した場合は、有機ＥＬ素子が暗部解消部材２１と対向するように設けられるため、有機ＥＬ素子を傷つけないように組み付ける必要がある。
【０１１８】
○  第４の実施形態のように、１個の発光パネル１３を備えた照明装置１２において、第１の実施形態のように拡散部２４を設けない構成や第２のＶ字状溝２６を設けない構成としてもよい。
【０１１９】
○  第５の実施形態のように、補助電極３１を設ける構成において、補助電極３１の数や配置は発光部の面積等に応じて適宜変更してもよい。例えば、補助電極３１を複数設けたり、発光部１４を分割せずに発光部１４の中間位置まで補助電極３１が延びるように配置してもよい。
【０１２０】
○  第５の実施形態では、補助電極３１は透明基板１６上に形成されていたが透明電極である第１電極１７上に形成されていてもよい。即ち、透明基板１６上に第１電極１７、補助電極３１、有機ＥＬ層１８及び第２電極１９が順に形成されていてもよい。
【０１２１】
○  補助電極３１が設けられた発光パネル１３は、第１〜第３の実施形態のように複数の発光パネル１３を備えた照明装置１２に使用してもよい。この場合、補助電極３１による非発光部３５に対応する部分に暗部解消部材２１のＶ字状溝２３，３４が形成されることによって補助電極３１による非発光部３５を認識し難くすることができる。
【０１２２】
○  第５の実施形態では補助電極３１による非発光部３５部分にのみ暗部解消部材２１のＶ字状溝３４が対応する位置に配置されていたがこれに限らず、発光パネル１３の発光部１４の周囲に形成される端部に位置する非発光部１５には傾斜面２７が対応し、補助電極３１による非発光部３５部分には暗部解消部材２１のＶ字状溝３４が形成されていてもよい。また、非発光部１５に対応する位置に形成される暗部解消部材２１の傾斜面は第２の傾斜面２８を設けてもよい。
【０１２３】
○  有機ＥＬ層１８は白色発光を行うような構成に限らず、例えば、赤や緑や青や黄色などの単色光若しくは、その組み合わせを発光する構成としてもよい。
○  発光部１４を構成するＥＬ素子として有機ＥＬ素子に代えて無機ＥＬ素子を用いてもよい。
【０１２４】
○  発光部１４は出射光が等方性を有していればよく、ＥＬ素子以外の発光部であってもよい。
○  照明装置１２はバックライト用に限らず、他の照明装置やディスプレイ装置の発光源として使用してもよい。
【０１２５】
以下の技術的思想は（発明）は前記実施形態から把握できる。
（１）請求項１〜請求項５のいずれか一項に記載の発明において、前記暗部解消部材は屈折率の差が小さな透明な接着剤を介して発光パネルに接合されている。
【０１２６】
（２）請求項７又は請求項１８に記載の発明において、前記拡散部は前記暗部解消部材の前記発光パネル側の面に直接形成されている。
（３）請求項７、請求項１８及び前記技術的思想（２）のいずれか一項に記載の発明において、前記発光パネル側にも拡散面が前記暗部解消部材側となるように拡散シートが設けられている。
【０１２７】
（４）請求項１１に記載の発明において、前記ＥＬ素子は、有機ＥＬ素子である。
（５）前記技術的思想（４）に記載の発明において、前記有機ＥＬ素子は、白色発光を行うように構成されている。
【０１２８】
（６）前記技術的思想（４）に記載の発明において、前記有機ＥＬ素子は、可視領域の一部にのみ発光スペクトルを有する。
（７）前記技術的思想（４）に記載の発明において、前記有機ＥＬ素子はボトムエミッション型の有機ＥＬ素子である。
【０１２９】
（８）請求項１１又は請求項２４に記載の照明装置を備えた液晶表示装置。
【図面の簡単な説明】
【０１３０】
【図１】（ａ）は第１の実施形態の照明装置を備えた液晶表示装置の部分模式断面図、（ｂ）は発光パネルの部分模式断面図。
【図２】作用を示す模式図。
【図３】照明装置の部分模式平面図。
【図４】（ａ），（ｂ）は視野角とＶ字状溝の頂角との関係式を導くための模式図。
【図５】第２の実施形態の照明装置を備えた液晶表示装置の部分模式断面図。
【図６】第３の実施形態の照明装置を備えた液晶表示装置の部分模式断面図。
【図７】第３の実施形態の照明装置を備えた液晶表示装置の部分模式断面図。
【図８】（ａ），（ｂ），（ｃ）は視野角、Ｖ字状溝の頂角、第２のＶ字状溝の頂角、暗部解消部材の厚さ等の関係を示す模式図。
【図９】第４の実施形態の照明装置の模式平面図。
【図１０】同じく照明装置の部分模式断面図。
【図１１】同じく視野角、傾斜面、暗部解消部材の厚さ等の関係を示す模式図。
【図１２】第５の実施形態の発光パネルの模式平面図。
【図１３】同じく照明装置の部分模式断面図。
【図１４】別の実施形態の照明装置の部分模式断面図。
【図１５】（ａ）は別の実施形態の照明装置の部分模式断面図、（ｂ）は発光パネルの部分模式断面図。
【図１６】従来技術のＥＬ表示装置の部分断面図。
【図１７】別の従来技術のＥＬ表示装置の部分断面図。
【符号の説明】
【０１３１】
Ａ，Ｂ，Ｗ，Ａ２，Ｂ２…幅、ａ１，ｂ１…距離、Ｐ１…仮想平面、Ｐ２…面、１０…液晶表示装置、１２…照明装置、１３…発光パネル、１４…発光部、１５，３５…非発光部、１６…基板としての透明基板、２１…暗部解消部材、２３，３４…Ｖ字状溝、２３ａ，２６ａ…最深部、２３ｂ，２７，３２，３３…傾斜面、２４…拡散部、２５…拡散シート、２５ａ…拡散面、２６…第２のＶ字状溝、２８…第２の傾斜面、２９…暗部解消部材の光入射部、３０・・・暗部解消部材の光出射部、３１・・・補助電極。
【図１】
2005353560.tif 000003
【図２】
2005353560.tif 000004
【図３】
2005353560.tif 000005
【図４】
2005353560.tif 000006
【図５】
2005353560.tif 000007
【図６】
2005353560.tif 000008
【図７】
2005353560.tif 000009
【図８】
2005353560.tif 000010
【図９】
2005353560.tif 000011
【図１０】
2005353560.tif 000012
【図１１】
2005353560.tif 000013
【図１２】
2005353560.tif 000014
【図１３】
2005353560.tif 000015
【図１４】
2005353560.tif 000016
【図１５】
2005353560.tif 000017
【図１６】
2005353560.tif 000018
【図１７】
2005353560.tif 000019